(57)【要約】【課題】部品点数の増加及び製造工程の複雑化を抑えながら、ゴルファーにとって心地よい打球音を発生させること。【解決手段】ゴルフクラブヘッドは、内部空間に連通する開口部を有するヘッド本体と、上記ヘッド本体の装飾体または重量体として機能し上記開口部を覆う蓋部と、上記蓋部の内面から上記内部空間へ突出するように設けられた振動子とを有する。【選択図】図４
2018192005.tif 000002
【特許請求の範囲】
【請求項１】
内部空間に連通する開口部を有するヘッド本体と、
前記ヘッド本体の装飾体または重量体として機能し前記開口部を覆う蓋部と、
前記蓋部の内面から前記内部空間へ突出するように設けられた振動子と
を具備するゴルフクラブヘッド。
【請求項２】
請求項１に記載のゴルフクラブヘッドであって、
前記蓋部は、前記振動子と一体的に形成されている
ゴルフクラブヘッド。
【請求項３】
請求項２に記載のゴルフクラブヘッドであって、
前記振動子は、前記開口部の径よりも小さい径を有し、
前記蓋部は、前記開口部に着脱可能に設けられる
ゴルフクラブヘッド。
【請求項４】
請求項３に記載のゴルフクラブヘッドであって、
前記ヘッド本体は、前記蓋部を係合可能な凹部を有し、
前記開口部は、前記凹部の底面に設けられる
ゴルフクラブヘッド。
【請求項５】
請求項４に記載のゴルフクラブヘッドであって、
前記凹部の側面には、前記突出方向を回転軸とするねじ溝が形成され、
前記蓋部の側面には、前記ねじ溝に螺着可能なねじ部が形成される
ゴルフクラブヘッド。
【請求項６】
請求項４に記載のゴルフクラブヘッドであって、
前記開口部は、前記突出方向を回転軸とするねじ溝を有し、
前記振動子の少なくとも一部は、前記ねじ溝を介して前記蓋部を前記ヘッド本体に螺着可能なねじとして機能する
ゴルフクラブヘッド。
【請求項７】
請求項１乃至６のいずれかに記載のゴルフクラブヘッドであって、
前記振動子は、前記ヘッド本体が有する固有振動数と同等の固有振動数を有する
ゴルフクラブヘッド。
【請求項８】
請求項１乃至７のいずれかに記載のゴルフクラブヘッドであって、
前記振動子の突出端は、板状、音叉形状、鐘形状のうちいずれかの形状を有する
ゴルフクラブヘッド。
【請求項９】
請求項１乃至８のいずれかに記載のゴルフクラブヘッドと、
前記ゴルフクラブヘッドに取り付けられるゴルフクラブシャフトと
を具備するゴルフクラブ。
【発明の詳細な説明】
【技術分野】
【０００１】
本発明は、中空構造のゴルフクラブヘッド及び当該ゴルフクラブヘッドを有するゴルフクラブに関する。
【背景技術】
【０００２】
従来から、例えばドライバー（１Ｗ）やスプーン（３Ｗ）といった中空構造のウッドタイプのゴルフクラブにおいては、ゴルファーがボールの打撃の的確性を判断したり爽快感を得たりするために、優れた打球音を発することが望まれている。
【０００３】
下記特許文献１には、ヘッド本体のソール板の内面に、共振片で囲んだ音室を形成した音箱を設置し、立体共振効果により、よい打球音を生じるようにしたゴルフクラブヘッドが開示されている。
【０００４】
下記特許文献２には、ソール部、クラウン部、およびサイド部のうち、少なくとも１つの部材について、フェース面の最小曲率半径よりも曲率半径が大きい領域を設け、この領域と略同一な平板部材を、領域に対して所定の間隔を設けて領域に対向して配置することで、ボールの打撃時に領域における部材と平板部材とをそれぞれ共振させ、両者の振幅を大きくすることで、打球音を大きくし残響を伸ばすことを意図したゴルフクラブヘッドが開示されている。
【０００５】
下記特許文献３には、フェース部の周辺部位に一端を固定し、他端側部分をフェース部側に向かってフェース部の内面に対して斜めに突き出して、フェース部の内面との間に振動空間を形成した振動体を設け、フェース部の振動を振動体に直接伝えるとともに振動空間を介して振動体に伝えることで、振動体の振動時間を長くし、優れた打球音を発することを意図したゴルフクラブヘッドが開示されている。
【先行技術文献】
【特許文献】
【０００６】
【特許文献１】特開２００６−０６１２７６号公報
【特許文献２】特開２００８−２００３１９号公報
【特許文献３】特開２００９−０１１３６５号公報
【発明の概要】
【発明が解決しようとする課題】
【０００７】
しかしながら、上記特許文献１乃至３のいずれに記載の技術も、上記打球音の改善のためにヘッド内部に新たな部材を設ける必要があるため、部品点数が増加し、製造工程も複雑化してしまう。
【０００８】
以上のような事情に鑑み、本発明の目的は、部品点数の増加及び製造工程の複雑化を抑えながら、ゴルファーにとって心地よい打球音を発生させることが可能なゴルフクラブヘッド及びそのゴルフクラブヘッドを有するゴルフクラブを提供することにある。
【課題を解決するための手段】
【０００９】
上記目的を達成するため、本発明の一形態に係るゴルフクラブヘッドは、内部空間に連通する開口部を有するヘッド本体と、上記ヘッド本体の装飾体または重量体として機能し上記開口部を覆う蓋部と、上記蓋部の内面から上記内部空間へ突出するように設けられた振動子とを有する。
【００１０】
この構成によれば、振動子が、ヘッド本体に一般的に設けられる装飾体または重量体としても機能する蓋部に設けられていることから、振動子を蓋部以外の箇所に設ける場合に比べて、部品点数の増加及び製造工程の複雑化を抑えながら、ゴルファーにとって心地よい打球音を発生させることができる。
【００１１】
上記蓋部は、上記振動子と一体的に形成されていてもよい。
【００１２】
これにより蓋部と振動子が一体形成されていることで、従来から存在する蓋部の設計を変更することなく振動子による打球音の改善を図ることができる。
【００１３】
上記振動子は、上記開口部の径よりも小さい径を有し、上記蓋部は、上記開口部に着脱可能に設けられてもよい。
【００１４】
これにより、振動子が開口部に挿入された状態で開口部を蓋部で覆うことで蓋部及び振動子の設置が容易に完了し、かつヘッド本体（開口部）から着脱自在であることから、製造工程が容易になるとともに、異なる種類の振動子が一体形成された蓋部を交換することで、打球音の改善も図ることが可能となる。
【００１５】
上記ヘッド本体は、上記蓋部を係合可能な凹部を有し、上記開口部は、上記凹部の底面に設けられてもよい。
【００１６】
これにより、製造時において、蓋部を凹部に固定する工程と振動子を開口部に挿入する工程とを同時に行うことが可能となる。
【００１７】
上記凹部の側面には、上記突出方向を回転軸とするねじ溝が形成され、上記蓋部の側面には、上記ねじ溝に螺着可能なねじ部が形成されてもよい。
【００１８】
これにより、蓋部をヘッド本体に螺着することで強固に固定することができる。
【００１９】
上記開口部は、上記突出方向を回転軸とするねじ溝を有し、上記振動子の少なくとも一部は、上記ねじ溝を介して上記蓋部を上記ヘッド本体に螺着可能なねじとして機能してもよい。
【００２０】
これにより、蓋部をヘッド本体に螺着することで強固に固定することができるとともに、振動子を、当該螺着のためのねじとして兼ねることができる。
【００２１】
上記振動子は、上記ヘッド本体が有する固有振動数と同等の固有振動数を有してもよい。
【００２２】
これにより、振動子がヘッド本体と共振しヘッド本体の打球音を変化させることにより、心地よい打球音を減衰させずに持続させることができる。
【００２３】
上記振動子の突出端は、板状、音叉形状、鐘形状のうちいずれかの形状を有してもよい。
【００２４】
本発明の他の形態に係るゴルフクラブは、上記のいずれかに記載のゴルフクラブヘッドと、当該ゴルフクラブヘッドに取り付けられるゴルフクラブシャフトとを有する。
【発明の効果】
【００２５】
以上説明したように、本発明によれば、部品点数の増加及び製造工程の複雑化を抑えながら、ゴルファーにとって心地よい打球音を発生させることができる。しかし、この効果は本発明を限定するものではない。
【図面の簡単な説明】
【００２６】
【図１】本発明の第１の実施形態に係るゴルフクラブのゴルフクラブヘッドの底面方向の平面図である。
【図２】図１に示したゴルフクラブヘッドからバッジ部を取り外した状態を示した図である。
【図３】図１に示したゴルフクラブヘッドの側面図である。
【図４】図３に示したゴルフクラブヘッドのバッジ部をヘッド本体から透過して示した図である。
【図５】図３及び図４のＡ−Ａ断面図である。
【図６】本発明の第２の実施形態に係るゴルフクラブヘッドのバッジ部をヘッド本体から透過して示した側面図である。
【図７】図６のＢ−Ｂ断面図である。
【図８】本発明の第３の実施形態に係るゴルフクラブヘッドのバッジ部をヘッド本体から透過して示した側面図である。
【図９】図８のＣ−Ｃ断面図である。
【図１０】本発明の他の実施形態に係るゴルフクラブヘッドのバッジ部を示した略式部分断面図である。
【発明を実施するための形態】
【００２７】
以下、図面を参照しながら、本発明の実施形態を説明する。
【００２８】
［第１の実施形態］
まず、本発明の第１の実施形態について説明する。
【００２９】
図１は、本実施形態に係るゴルフクラブのゴルフクラブヘッドの底面方向の平面図である。図２は、図１に示したゴルフクラブヘッドからバッジ部を取り外した状態を示した図である。また図３は、図１に示したゴルフクラブヘッドの側面図であり、図４は、図３に示したゴルフクラブヘッドのバッジ部をヘッド本体から透過して示した図である。図５は、図３及び図４のＡ−Ａ断面図である。
【００３０】
これらの図に示すように、本実施形態に係るゴルフクラブ１００は、ゴルフクラブヘッド１０と、当該ゴルフクラブヘッド１０に取り付けられるゴルフクラブシャフト５とを有する。
【００３１】
ゴルフクラブシャフト５は、例えば図示しないソケット等を介してゴルフクラブヘッド１０に取り付けられるが、ソケット等を介さずに直接取り付けられてもよい。
【００３２】
ゴルフクラブヘッド１０は、ヘッド本体１と、当該ヘッド本体１に着脱可能に設けられたバッジ部２とを有する。ヘッド本体１は、フェース部１ａ、ソール部１ｂ及びクラウン部１ｃを有し、それらによって内部空間が形成された中空構造を有しており、一般にウッドタイプと呼ばれるヘッドである。同図の例では、ドライバー（１Ｗ）のヘッドが示されている。ヘッド本体１は、例えばチタン等の金属によって製造される。
【００３３】
特に図２に示すように、ヘッド本体１の例えばソール部１ｂのヒールバック側には、円形の開口部１１が形成されており、上記バッジ部２は、当該開口部１１を覆うように設けられている。
【００３４】
バッジ部２は、例えばゴルフクラブメーカーのロゴ等の模様が刻印されたり、デザイン性を向上させたりするための装飾体として機能する。バッジ部２は、上記開口部１１を覆う円盤状の蓋部２１と、当該蓋部２１の内面からヘッド本体１の内部空間へ各図Ｚ方向に突出するように設けられた振動子２２とを有する。当該蓋部２１と振動子２２とは、一体的に形成される。バッジ部２は、例えば胴、鋼鉄、ステンレス、リキッドメタル等の、振動しやすく（剛性が高く密度が低い）、振動の減衰が少ない金属材料で形成される。金属に代えて、ＦＲＰ(Fiber-Reinforced Plastics の略称)等の樹脂材料が用いられてもよい。
【００３５】
図２及び図５に示すように、上記開口部１１は、ヘッド本体１に設けられた凹部１２の底面に設けられている。上記バッジ部２の蓋部２１は、当該凹部１２に嵌合可能な形状及び厚みを有している。また上記振動子２２は、上記開口部１１の径よりも小さい径を有している。
【００３６】
ゴルフクラブヘッド１０の製造の際には、開口部１１に振動子２２を挿入し、蓋部２１を凹部１２に嵌合させることでバッジ部２がヘッド本体１に設置される。当該凹部１２へのバッジ部２の固定を強固にするために、嵌合部分に接着剤等が使用されてもよく、バッジ部２を取り外す際には、当該接着剤を熱溶融等させることで接着力を除去することができる。
【００３７】
振動子２２は、一端（円柱状の軸部）が蓋部２１に固定され、他端が自由となった片持ち梁形状を有する。振動子２２は、ゴルフクラブ１００によるゴルフボールの打撃時に、ヘッド本体１の振動によってヘッド本体１の内部空間内で振動し音を発することによって、ヘッド本体１の打撃音の停止後でも当該打球音が持続して聞こえるような残響効果を発揮させる。
【００３８】
図４及び図５に示すように、本実施形態における振動子２２は、その固定端が円柱状の軸部として形成され、自由端（突出端）が鐘（りん）形状に形成されている。
【００３９】
このように、本実施形態によれば、振動子２２が、ヘッド本体１に一般的に設けられるバッジ部２に一体的に設けられていることから、振動子２２をバッジ部２以外の箇所に設ける場合に比べて、部品点数の増加及び製造工程の複雑化を抑えながら、ゴルファーにとって心地よい打球音を発生させることができる。
【００４０】
また、振動子２２が開口部１１に挿入された状態で開口部１１を蓋部２１で覆うことでバッジ部２（蓋部２１及び振動子２２）のヘッド本体１への設置が容易に完了し、かつヘッド本体１（開口部１１）から着脱自在であることから、製造工程が容易になるとともに、異なる種類の振動子が一体形成された蓋部を交換することで、打球音（残響音）の改善も図ることが可能となる。
【００４１】
［第２の実施形態］
次に、本発明の第２の実施形態について説明する。本実施形態及びこれ以降の実施形態について、上記第１の実施形態と同一の機能または構成を有する要素には同一の符号を付し、説明を省略または簡略化する。
【００４２】
図６は、本実施形態に係るゴルフクラブヘッド１０のバッジ部２をヘッド本体１から透過して示した側面図である。また図７は、図６のＢ−Ｂ断面図である。
【００４３】
両図に示すように、本実施形態における振動子２２は、その固定端が円柱状の軸部として形成され、その自由端（固定端）が音叉形状に形成されている。
【００４４】
これにより、本実施形態に係るゴルフクラブヘッド１０も、ゴルフクラブ１００による打球時に上述の第１の実施形態と同様の残響効果を発揮できるとともに、振動子２２の形状を異ならせることで、異なる残響音を生じさせることができる。
【００４５】
［第３の実施形態］
次に、本発明の第３の実施形態について説明する。
【００４６】
図８は、本実施形態に係るゴルフクラブヘッド１０のバッジ部２をヘッド本体１から透過して示した側面図である。また図９は、図８のＣ−Ｃ断面図である。
【００４７】
両図に示すように、本実施形態における振動子２２は、その固定端が円柱状の軸部として形成され、その自由端（突出端）が平板状に形成されている。両図の例では、軸部は蓋部２１の中心からずれた位置に配置されているが、軸部は蓋部２１の中心に配置されていてもよい。またこの場合、平板状体の長手方向の中心位置に軸部の上端が位置してもよい。
【００４８】
これにより、本実施形態に係るゴルフクラブヘッド１０も、ゴルフクラブ１００による打球時に上述の第１及び第２の実施形態と同様の残響効果を発揮できるとともに、振動子２２の形状を異ならせることで、異なる残響音を生じさせることができる。
【００４９】
［変形例］
本発明は上述の実施形態にのみ限定されるものではなく、本発明の要旨を逸脱しない範囲内において種々変更され得る。
【００５０】
上述の各実施形態においては、バッジ部２の蓋部２１は、ヘッド本体１の凹部１２に嵌合されることで固定された。しかし、蓋部２１と凹部１２とは、螺着によって固定されてもよい。この場合、凹部１２の側面には、振動子２２の突出方向（Ｚ方向）を回転軸とするねじ溝が形成され、蓋部２１の側面には、当該凹部１２のねじ溝に螺着可能なねじ部が形成される。これにより、バッジ部２をヘッド本体１に螺着することで強固に固定することができる。
【００５１】
上述の各実施形態において、バッジ部２の振動子２２は、鐘（りん）形状、音叉形状、平板形状とされた。しかし、振動子２２の形状はこれらに限られない。例えば、振動子２２は、長尺円柱（棒）形状とされてもよい。
【００５２】
また、バッジ部２の他の螺着手法として、振動子２２が開口部１１に螺着される構造も実現可能である。図１０は、この場合のバッジ部２を示した略式部分断面図である。同図に示すように、この場合開口部１１は、上述の各実施形態よりも狭径に形成されており、また凹部の背面側に設けられたボス１２ａと一体的に形成されている。開口部１１は、その内周面に、振動子２２の突出方向を回転軸とするねじ溝を有している。
【００５３】
またこの例における振動子２２は、上記開口部１１に挿入可能な長尺円筒状（棒状）に形成されており、その固定端側には、上記開口部１１のねじ溝に螺着可能なねじ部２２ａが形成されている。すなわち、この例においては、振動子２２は、バッジ部２をヘッド本体１に螺着可能なねじとして機能する。これにより、バッジ部２をヘッド本体１に螺着することで強固に固定することができるとともに、振動子２２を、当該螺着のためのねじとして兼ねることができる。
【００５４】
上述の各実施形態において、バッジ部２（の蓋部２１）は、振動子２２の基部としての機能を果たすほか、装飾体として設けられていた。しかし、当該バッジ部２は、装飾体として機能する代わりに、またはそれに加えて、ゴルフクラブヘッド１０の重心を低くするためのウェイト（重量体）として機能してもよい。この場合、バッジ部２の蓋部２１のみならず振動子２２も、その重量によってウェイトを兼ねることができる。したがって、振動子２２を異なる種類のものに交換することによってウェイトの調整も図ることが可能となる。
【００５５】
上述の各実施形態において、バッジ部２は、ヘッド本体１のソール部１ｂのヒールバック側に設けられていた。しかし、バッジ部２が設けられる位置はこの位置に限られず、ソール部１ｂの他の位置に設けられていてもよいし、クラウン部１ｃ側に設けられていてもよい。
【００５６】
上述の各実施形態においては、振動子２２は、開口部１１の径よりも小さい径を有し、蓋部２１と一体的に形成されており、バッジ部２の蓋部２１によって開口部１１を覆うと同時に振動子２２を当該開口部１１に挿入することによってバッジ部２がヘッド本体１に着脱可能に取り付けられた。しかし、バッジ部２はヘッド本体１に着脱可能に設けられていなくてもよく、蓋部２１と振動子２２とが別部材として設けられていてもよい。
【００５７】
この場合、振動子２２の自由端は、ヘッド本体１の外側から開口部１１へ挿入する必要がないことから、開口部１１の径よりも大きい径を有していてもよい。例えば、ヘッド本体１のソール部１ｂ及びクラウン部１ｃで形成された開口に別部材としてのフェース部１ａが取り付けられる前に、当該開口から振動子２２を内部空間に挿入して、当該振動子２２の、開口部１１に対応する径を有する軸部（円柱状の固定端）と、内部空間外の蓋部２１とを、開口部１１を介して例えば螺着や溶接等によって接続することでバッジ部２をヘッド本体１に取付けてもよい。
【００５８】
上述の実施形態では、振動子２２は、ゴルフボールの打撃時に、ヘッド本体１の振動によってヘッド本体１の内部空間内で振動し音を発することによって、ヘッド本体１の打撃音の停止後に残響効果を与えるものであった。しかし、振動子２２は、それ自体が発音体でなくてもよく、ヘッド本体１と共振することで打球音を変化させるものであってもよい。この場合、振動子２２は、ヘッド本体が有する固有振動数と同等の固有振動数を有する。これにより、振動子２２がヘッド本体と共鳴することにより、心地よい打球音を減衰させずに持続させることができる。
【００５９】
上述の各実施形態においては、バッジ部２はヘッド本体１に１つのみ設けられたが、複数（例えば２つ）設けられていてもよい。この場合、複数の振動子２２を同一のものとすることで、両者が共鳴し、打球音の残響効果を更に高めることができる。
【００６０】
上述の各実施形態では、ゴルフクラブヘッド１０としてドライバー（１Ｗ）のヘッドが示されたが、本発明は、スプーン（３Ｗ）やクリーク（５Ｗ）等のドライバー以外のウッドタイプのヘッドにも同様に適用可能である。
【符号の説明】
【００６１】
１…ヘッド本体
２…バッチ部
５…ゴルフクラブシャフト
１０…ゴルフクラブヘッド
１１…開口部
１２…凹部
２１…蓋部
２２…振動子
２２ａ…ねじ部
【図１】
2018192005.tif 000003
【図２】
2018192005.tif 000004
【図３】
2018192005.tif 000005
【図４】
2018192005.tif 000006
【図５】
2018192005.tif 000007
【図６】
2018192005.tif 000008
【図７】
2018192005.tif 000009
【図８】
2018192005.tif 000010
【図９】
2018192005.tif 000011
【図１０】
2018192005.tif 000012